(57)【要約】      （修正有）【課題】監視員に必要な情報をナビゲーションすることで、プラントで生じている問題を早急に解決するとともに、プラントで生じる弊害を防止する。【解決手段】プラントの運転状況及び当該運転状況に対応する機器の操作を関連付けた操作データを記憶する操作データ記憶部と、プラントの状況を受信する状況受信手段と、受信したプラントの状況と関連付けられる操作が操作データに記憶されているか否かを判定する状況判定手段１００ｄと、状況判定手段が操作データに該当する操作が記憶されていると判定すると、表示装置に操作を促がすメッセージを表示させる表示処理手段１００ｅとを備える。【選択図】図１
2011059809.tif 000002
【特許請求の範囲】
【請求項１】
複数の機器によって運転するプラントを監視する監視装置であって、
前記プラントの運転状況及び当該運転状況に対応する機器の操作を関連付けた操作データを記憶する操作データ記憶部と、
プラントの状況を受信する状況受信手段と、
受信した前記プラントの状況と関連付けられる操作が前記操作データに記憶されているか否かを判定する状況判定手段と、
前記状況判定手段が前記操作データに該当する操作が記憶されていると判定すると、表示装置に前記操作を促がすメッセージを表示させる表示処理手段と、
を備えることを特徴とする監視装置。
【請求項２】
前記プラントの機器を操作する操作信号を送信する操作信号送信手段と、
前記操作信号を送信すると、前記プラントの運転状況と送信信号による機器の操作を追加して、前記操作データを更新する記憶処理手段と、
をさらに備えることを特徴とする請求項１に記載の監視装置。
【請求項３】
複数の機器によって運転されるプラントの監視に利用される監視装置であって、
前記機器から送信された当該機器の識別子を受信する識別子受信手段と、
前記識別子受信手段が、前記機器から前記登録データに含まれる識別子を前回取得してから所定時間経過したか否かを判定する時間判定手段と、
時間判定手段が識別子を受信後所定時間、同一の識別子を取得しないと判定すると、前記機器から識別子を受信しない旨を通知する通知手段と、
を備えることを特徴とする監視装置。
【請求項４】
前記機器の識別子、納入日、設置場所及び前記機器の点検又は交換が必要な時期を特定する時期特定情報を関連付けた登録データを記憶する登録データ記憶部と、
前記登録データを読み出し、前記時期特定情報によって点検又は交換が必要な機器を判定する点検判定手段と、
点検判定手段で前記機器の点検又は交換が必要と判定されると、当該機器の点検又は交換が必要な旨及び前記機器の設置場所を通知する点検通知手段と、
を備えることを特徴とする請求項１乃至３のいずれかに記載の監視装置。
【請求項５】
前記機器の識別子、前記機器の配置位置に関する配置図データを記憶する配置図データ記憶部を備え、
前記表示処理手段は、機器の識別子を含むリクエストに応じて前記配置図データで記憶されている前記機器の設置場所を読出し、表示装置に表示することを特徴とする請求項１乃至４のいずれかに記載の監視装置。
【発明の詳細な説明】
【技術分野】
【０００１】
本発明は、プラントの遠隔監視及び遠隔制御に利用する監視装置に関する。
【背景技術】
【０００２】
プラントでは、図９に示すように、ポンプ５１や弁５２等の多数の機器を使用している。また、これらの機器５１，５２の制御には、現場盤３０やリレー盤４０等の機器を使用している。プラントでは、現場盤３０を使用してプラントの機器を操作することもできるが、監視装置１０を利用して現場とは異なる場所で監視制御するシステムがある。
【０００３】
このようなプラントでは、正常状態の場合には自動モードに設定され、監視装置１０を利用して監視制御することができるが、異常状態の種類によっては監視装置１０を利用した自動制御を行なうことはできなくなる。したがって、監視装置１０で監視制御していた監視員等がプラントの現場に行き、現場盤３０を利用して、現場の手動モードにてプラントの機器を操作する必要がある。
【０００４】
しかしながら、プラントには多数の機器が存在するため、監視員等は、多数あるプラントの機器のうち、どの機器をどのように操作すれば異常を解決することができるか瞬時に判断することは困難である。仮に、対象の機器を特定することができても、プラント内のどの位置に操作対象の機器が存在するのかを瞬時に判断することも困難である。
【０００５】
また、遠隔監視制御を可能とする監視装置１０は対象の機器５１，５２や制御に利用する機器３０，４０と接続されていなければプラントを監視制御することができない。
【０００６】
一方で、プラントでは多数の機器を使用しており、機器の交換や追加等の変更も頻繁に生じるが、このような接続機器変更の登録は、監視装置１０の通常の監視制御の運用とは異なる処理であるため、監視装置１０で接続機器の変更を直ちに把握することは困難である。そのため監視装置１０で接続される機器の変更を把握できていない場合、必要な情報を収集できず、プラントの運転に弊害が生じるおそれがある。
【０００７】
従来から、機器の接続状態を把握する様々な方法がある（例えば、特許文献１及び２参照）。しかしながら、監視装置１０が監視制御の対象とするプラントでは、接続状態に変更があった場合、監視装置１０側で早急に把握しないとプラントの運転に弊害が生じる恐れがあるため、必要な情報を直ちに提供しなければならない。
【先行技術文献】
【特許文献】
【０００８】
【特許文献１】特開２００８−１９９２７９号公報
【特許文献２】特開２００８−１６７２１７号公報
【発明の概要】
【発明が解決しようとする課題】
【０００９】
上述したように、従来の監視装置１０では、監視員は、監視装置１０を利用してプラントの状況等を把握することができるが、操作が必要であっても各状況に対して必要な操作を判断することが困難であるとともに、操作をする現場を直ちに判断することも困難であって、異常等が発生した場合、監視員の経験が処置時間に比例するため、すべての監視員が早急に対応することができないという問題があった。また、プラントで機器の交換や追加等の接続機器の変更が生じた場合にこのような変更の登録は、通常のプラントの運用とは別作業で行っているため、監視装置１０で機器の交換や追加等の変更を直ちに把握することは困難であった。
【００１０】
本発明は、上記課題に鑑み、監視員に必要な情報をナビゲーションすることで、プラントで生じている問題を早急に解決するとともに、プラントで生じる弊害を防止することのできる監視装置を提供することを目的とする。
【課題を解決するための手段】
【００１１】
上記の課題を解決するために、本発明は、複数の機器によって運転するプラントを監視する監視装置であって、前記プラントの運転状況及び当該運転状況に対応する機器の操作を関連付けた操作データを記憶する操作データ記憶部と、プラントの状況を受信する状況受信手段と、受信した前記プラントの状況と関連付けられる操作が前記操作データに記憶されているか否かを判定する状況判定手段と、前記状況判定手段が前記操作データに該当する操作が記憶されていると判定すると、表示装置に前記操作を促がすメッセージを表示させる表示処理手段とを備える。
【発明の効果】
【００１２】
本発明は、監視員に必要な情報をナビゲーションすることで、プラントで生じている問題を早急に解決するとともに、プラントで生じる弊害を防止することができる。
【図面の簡単な説明】
【００１３】
【図１】本発明の実施形態に係る監視装置の一例を説明するブロック図である。
【図２】図１の監視装置で利用される登録データの一例である。
【図３】図１の監視装置で利用される配置図データの一例である。
【図４】図１の監視装置における異常発生の一例について説明する図である。
【図５】図１の監視装置で利用される操作データの一例である。
【図６】図１の監視装置で利用される識別子データの一例である。
【図７】図１の監視装置で表示される表示画面の一例である。
【図８】図１の監視装置で表示される表示画面の他の例である。
【図９】一般的なプラントシステムの一例を説明する図である。
【発明を実施するための形態】
【００１４】
以下に、図面を用いて本発明の実施形態に係る監視装置について説明する。本発明の実施形態に係る監視装置は、水処理場、発電所、工場等のプラントの運転状況を遠隔監視するとともに、プラントを構成する機器を遠隔操作する操作信号を出力する装置である。また、本発明の実施形態に係る監視装置は、ナビゲーション機能を備え、監視装置を利用してプラントを監視する監視員に、プラントの状況へ対応するための操作や対応のためのルートを提示したり、機器の状態を管理し、必要な情報を提示することができる。
【００１５】
図１に示すように、監視装置１０が監視対象とするプラントは、例えば、ライン５０を流れる水を送水するポンプ５１、ライン５０を開閉する弁５２、ライン５０の水量を検出するセンサ５３等の機器を備えている。
【００１６】
図１に示すように、監視装置１０には、監視装置１０から入力する操作信号に従ってプラントの機器を制御する制御信号を出力する制御装置２０が接続されている。この制御装置２０には、監視装置１０の他、プラントの運転制御に利用される機器３０ａ〜３０ｃ，４０ａ〜４０ｃが接続されている。プラントの運転制御に利用される機器としては、例えば、プラントの各機器５０〜５３と比較的近い位置に配置され、プラントの各機器を操作する操作手段３１を介して制御信号を出力する現場盤３０ａ〜３０ｃや、プラントの各機器５０〜５３と比較的近い位置に設置されるとともに各機器と電気回線を介して接続され、制御装置２０や現場盤３０（３０ａ〜３０ｃ）から入力する制御信号に従って機器を制御するリレー盤４０（４０ａ〜４０ｃ）がある。
【００１７】
図１に示す一例では、各装置１０，２０を１台の装置として示しているが、複数の装置によって構成されていてもよい。また、図１では、制御装置２０に３台の現場盤３０ａ〜３０ｃと３台のリレー盤４０ａ〜４０ｃを備える例を示しているが、現場盤３０とリレー盤４０の数は３台に限られず、プラントが有する機器の種類や数に応じて定められる。
【００１８】
〈監視装置〉
監視装置１０は、図１に示すように、中央処理装置（ＣＰＵ）１００、通信インタフェース（通信Ｉ／Ｆ）１０１、信号を入力する入力装置１０２、プラントの運転状況等を表示する表示装置１０３及びプログラムやデータを記憶する記憶装置１０４を備える一般的な情報処理装置である。
【００１９】
記憶装置１０４には、ナビゲーション機能を実現するプログラム（図示せず）が記憶されており、このプログラムが読み出されて実行されることで、ＣＰＵ１００には、図１に示すように、操作信号送信手段１００ａ、記憶処理手段１００ｂ、状況受信手段１００ｃ、状況判定手段１００ｄ、表示処理手段１００ｅ、識別子受信手段１００ｆ、時間判定手段１００ｇ、変更通知手段１００ｈ、点検判定手段１００ｉ、点検通知手段１００ｊが実装される。
【００２０】
また、記憶装置１０４には、プラントで利用する機器３０，４０，５０〜５３等の情報に関する登録データ１０４ａ、登録データ１０４ａで登録されている機器の配置位置に関する配置図データ１０４ｂ、プラントに異常が発生した場合の操作の履歴である操作データ１０４ｃ及び登録データ１０４ａで登録されている機器の接続情報を記憶する識別子データ１０４ｄを記憶している。
【００２１】
登録データ１０４ａは、図２に一例を示すように、プラントで利用される機器を識別する「識別番号」、機器の「名称」、機器をプラントに納入した「納入日」、機器の点検又は交換が必要な「予定日」、機器が配置されている「配置場所」を関連付けるデータである。例えば、識別願号「Ｉ１０１」で識別される「ディスプレイ」の納入日は「２００８年９月１日」に納入されており、点検又は交換の予定日は「２０１０年９月１日」であり、「中央監視室」に配置されていることが分かる。
【００２２】
配置図データ１０４ｂは、図３に一例を示すように、登録データ１０４ａで登録されている装置や機器が、「配置場所」のどの位置に配置されているかに関する見取り図である。図３では、各設置場所において、装置や機器の配置されている場所が装置や機器の識別番号で特定される一例であって、図３で示す識別番号は、図２で使用する識別番号と同一の番号である。
【００２３】
また、図３（ａ）は、中央監視室の見取り図であって、第１ディスプレイＩ１０１、第２ディスプレイＩ１０２、サーバＩ１０３及び他の装置Ｉ２０１が配置されていることが分かる。図３（ｂ）は、電気室の見取り図であって、コントローラＩ１０４、リレー盤Ｉ１０５及び他の装置Ｉ２０２が配置されていることが分かる。図３（ｃ）は、第１ポンプ室の見取り図であって、現場盤Ｉ１０６及び他の装置Ｉ２０３が設置されていることが分かる。
【００２４】
プラントでは、センサ５３等の機器を利用して運転状況（例えば、ライン５０における水の流量）が監視されているが、例えば、図４に示すようにライン５０を流れる水の流量の増加によりプラントの運転状況に異常が発生した場合、その処置例として通常の自動モードから手動モードに切り替えられ、オペレータによって手動でポンプ５１の回転数が操作される。操作データ１０４ｃは、このように、プラントにおける運転状況とその際の操作を記憶している。なお、操作データ１０４では、実際に実行された操作とその操作が行われた際のプラントの運転状況とを記録する他、プラントの運転状況と、その運転状況の場合に行なわれることが好ましい操作を記憶していてもよい。
【００２５】
図５に示す操作データ１０４ｃは、プラントで図４に示すような操作が実行された場合の一例であって、プラントの状況が「流量増加」のとき、「モードを自動から手動に切替」し、「ポンプの回転数を低減」したことが分かる。
【００２６】
識別子データ１０４ｄは、図６に示すように、監視装置１０が受信した現場盤３０やリレー盤４０等の機器の接続に関する識別子に関するデータであって、各機器はラインに接続されている際に識別子を送信するため、機器が送信する「識別子」と、機器がこの識別子を送信した「日時」とを関連付けている。
【００２７】
操作信号送信手段１００ａは、入力装置１０２を介してプラントの機器５１，５２を操作する操作信号が入力されると、入力された操作信号を通信Ｉ／Ｆ１０１を介して制御装置２０に送信する。
【００２８】
記憶処理手段１００ｂは、操作信号送信手段１００ａが操作信号を送信してプラントの機器５１，５２等を操作すると、操作した際のプラントの運転状況に、操作の内容を関連付けて操作データ１０４ｃに追加する。
【００２９】
状況受信手段１００ｃは、通信Ｉ／Ｆ１０１を介してプラントの運転状況を受信する。プラントの運転状況とは、例えば、ポンプ５１の運転状態、弁５２の開閉状態、センサ５３の検出結果等である。
【００３０】
状況判定手段１００ｄは、状況受信手段１００ｃが受信した運転状況が異常を特定するものであるとき、記憶装置１０４に記憶されている操作データ１０４ｃを読出し、受信した運転状況と同一の運転状況の場合に実行された操作が操作データ１０４ｃに含まれているか否かを判定する。また、状況判定手段１００ｄは、登録データ１０４ａに該当する操作が記憶されているとき、この操作を抽出し、表示処理手段１００ｅに出力する。
【００３１】
表示処理手段１００ｅは、状況判定手段１００ｄから操作を受信すると、現在のプラントの運転状況において、状況判定手段１００ｄで抽出された操作を行うことが望ましい旨を表示する表示画面を表示装置１０３に表示する。
【００３２】
例えば、表示処理手段１００ｅは、図７に一例を示すように、「現在の状況」、「現在の状況に対する対処法」、「対処の対象である機器の設置場所」、「対処の操作を行うことのできる現場盤の存在場所」等を含む表示画面Ｗ１を生成し、表示装置１０３に表示することが考えられる。図７に示す表示画面Ｗ１は、現在のプラントでは、「第１ラインの流量が増加」しており、対処法としては、「第１バルブを閉操作」することが望ましく、第１バルブは「第１ポンプ室」に配置されており、第１バルブを操作する現場盤は「第１ポンプ室」に存在することを示している。このとき、表示処理手段１００ｅは、図７に示すように、表示画面Ｗ１において、「対処法」や「現場盤の存在場所」等の項目に関連して詳細表示用のボタンｂ１，ｂ２を設けてもよい。
【００３３】
例えば、「対処法」に関連するボタンｂ１が押下されたとき、表示装置１０３は、バルブの閉操作に関する詳細な説明に関する表示画面を表示する。このように、各対処法の操作に関する詳細な説明を表示する場合には、記憶装置１０４において各操作に関する詳細説明を記憶している必要がある。
【００３４】
また例えば、「現場盤」に関連するボタンｂ２が押下されたとき、現場盤の識別子を含むリクエストが生成され、表示処理手段１００ｅは、表示装置１０３に、図８に一例を示すような表示画面Ｗ２を表示する。この表示画面Ｗ２は、監視装置１０を操作しているオペレータが、現在位置（中央監視室にある第１ディスプレイ１０１）から、目的地（ポンプ室にある第１バルブを操作する現場盤１０６）までのルートを示している。表示処理手段１００ｅは、ボタンｂ２が押下されると、記憶装置１０４から配置図データ１０４ｂを読出し、該当する現在位置と目的地を抽出して現在位置から目的地までのルートを示す画面を生成し、表示装置１０３に表示する。
【００３５】
表示処理手段１００ｅは、表示画面Ｗ１，Ｗ２を監視装置１０の表示装置１０３に表示する他、通信Ｉ／Ｆ１０１を介して画面データを監視員の携帯端末（図示せず）に送信し、携帯端末の表示装置に表示させてもよい。携帯端末に状況や目的地までのルートが表示されれば、監視員は、この携帯端末を参照しながら目的地である機器まで行くことが可能となり、この表示画面で記載されている指示に従って対応することができる。
【００３６】
図７に示すような表示画面Ｗ１を表示することで、監視装置１０は、プラントの運転状況に応じて必要な操作を監視員等にナビゲーションすることができる。また、図８に示すような表示画面Ｗ２を表示することで、監視装置１０は、監視員等に必要なルートをナビゲーションすることができる。
【００３７】
識別子受信手段１００ｆは、通信Ｉ／Ｆ１０１を介して、制御装置２０が送信した現場盤３０やリレー盤４０等の識別子及び日時に関するデータを受信すると、新たに受信した識別子及び日時に関するデータを追加して、記憶装置１０４に記憶されている識別子データ１０４ｄを更新する。
【００３８】
時間判定手段１００ｇは、定期的等の所定のタイミングで記憶装置１０４に記憶されている識別子データ１０４ｄを読出し、過去に識別子を受信したが、所定時間経過しても新たに識別子を受信していない装置の有無を判定する。
【００３９】
変更通知手段１００ｈは、時間判定手段１００ｇにおいて、所定時間経過しても新たに識別子を受信していない装置があると判定されると、所定時間識別子を受信しておらず、当該装置が故障又は撤去された等の接続機器の変更の可能性がある旨を通知する。例えば、変更通知手段１００ｈは、表示装置１０３に表示画面を表示することで、所定時間識別子を受信しておらず、接続機器の変更の可能性がある旨を通知する。なお、変更の可能性がない場合であっても、変更通知手段１００ｈは、登録データ１０４ａで記憶されている当該装置のデータを表示してもよい。
【００４０】
なお、変更通知手段１００ｈは、表示装置１０３に接続機器の変更の可能性がある旨を通知する他、通信Ｉ／Ｆ１０１を介して監視員の携帯端末（図示せず）に通知信号を送信し、監視員の携帯端末で表示させても良い。たとえば、この通知信号に変更の可能性がある機器の位置情報を含んでいれば、近くにいる監視員は早急に事実を確認することができる。
【００４１】
点検判定手段１００ｉは、定期的等の所定のタイミングで記憶装置１０４に記憶されている登録データ１０４ａを読出して、点検又は交換の予定日の通知が必要な機器の有無を判定する。例えば、点検又は交換の予定日の１ヶ月前の機器や既に経過している機器等、点検や交換の予定日が予め定められる期間に該当する機器の有無を判定する。
【００４２】
点検通知手段１００ｊは、点検判定手段１００ｉで点検又は交換の予定日が所定の期間内の機器があると判定されると、機器の点検又は交換の時期が近づいている旨を通知したり、時期が経過した旨を通知する。
【００４３】
このように、変更通知手段１００ｈや点検通知手段１００ｊを使用することで、監視装置１０では、機器の管理状態を提示して必要な操作をナビゲーションすることができる。
【００４４】
〈制御装置〉
制御装置２０は、図１に示すように、操作受信手段２００、送信手段２０１、収集手段２０２、通信インタフェース（通信Ｉ／Ｆ）２０３及び記憶装置２０４を備え、監視装置１０からの操作信号に応じてプラントの機器を制御する。
【００４５】
受信手段２００は、通信Ｉ／Ｆ２０３を介して監視装置１０から送信された機器を操作する操作信号を受信すると、送信手段２０１に出力する。また、送信手段２０１は、受信手段２００から入力した操作信号を、通信Ｉ／Ｆ２０３を介して該当する機器と接続されるリレー盤４０に送信する。
【００４６】
収集手段２０２は、現場盤３０やリレー盤４０等の接続される装置から装置の識別子を受信すると、新たに受信した「識別子」と装置が識別子を送信した「日時」を追加して記憶装置２０４に記憶されている識別子データ２０４ａを更新する。この識別子データ２０４ａについては図示を用いた説明を省略するが、図６を用いて上述したように、装置の「識別子」と、装置が識別子を送信した「日時」とが関連付けられるデータである。
【００４７】
また、送信手段２０１は、定期的等の所定のタイミングで記憶装置２０４に記憶される識別子データ２０４ａの「日時」及び「識別子」を、通信Ｉ／Ｆ２０３を介して監視装置１０に送信する。送信手段２０１は、監視装置１０に未送信の「日時」及び「識別子」のみを送信すればよいため、「日時」及び「識別子」を送信後、送信済みの「日時」及び「識別子」を削除して識別子データ２０４ａを更新することができる。
【００４８】
〈現場盤〉
現場盤３０ａは、プラントにおいてポンプ５１や弁５２等の機器の比較的近くに備えられ、操作ボタンや操作レバー等、プラントのポンプ５１や弁５２等の機器を操作する操作手段３１を備えている。プラントを操作する操作員が、このボタンやレバー等の操作手段３１を操作（手動操作）すると、操作手段３１は対応する機器を操作する操作信号を生成し、接続されるリレー盤４０ａに操作信号を送信する。
【００４９】
プラントの機器の操作には監視装置１０を利用することもできるが、上述したように、プラントが「現場の手動モード」に設定されているときには監視装置１０から機器を操作することはできない。一方、この操作手段３１は、プラントが「現場の手動モード」に設定されている場合に機器を操作することができる。
【００５０】
また、現場盤３０ａは、所定のタイミングで制御装置２０に現場盤３０ａの識別子を送信する識別子送信手段３２を備えている。識別子送信手段３２が識別子を送信するタイミングとは、例えば、定期的なタイミングや制御装置２０から識別子のリクエストを受信したタイミングである。
【００５１】
図１に示す例では、識別子送信手段３２は、識別子の送信に一般的な通信回線ではなく、電力線６０を使用している。電力線６０を使用する場合、識別子の通信のために新たに通信回線を設ける必要が無いため、容易に識別子の送信を実現することができる。
【００５２】
図１では、現場盤３０ａは、１つの操作手段３１を備えているが、所定範囲に存在する複数の機器を操作することができるように複数の操作手段３１を有していてもよい。また、現場盤３０ａは、操作の対象となる機器と接続されるリレー盤４０ａと接続されている。
【００５３】
なお、現場盤３０ｂ，３０ｃは、それぞれ異なる機器の操作に利用される装置であって、現場盤３０ａとは異なるリレー盤４０と接続されているが、現場盤３０ａと同様に機器を操作する操作信号を出力する操作手段３１と、自装置の識別子を送信する識別子送信手段３２を備える構成であるため、図示を用いた説明は省略する。
【００５４】
〈リレー盤〉
リレー盤４０ａは、ポンプ５１や弁５２等のプラントの機器と接続され、外部から入力する操作信号に応じて接続される機器を制御する制御手段４１を備えている。この制御手段４１は、接点の開閉によって電流の流れを調整して機器を制御する、いわゆるリレー回路である。なお、ただしリレーの代わりにPLCを用いることもできる。
【００５５】
また、リレー盤４０ａは、所定のタイミングで制御装置２０にリレー盤４０ａの識別子を送信する識別子送信手段４２を備えている。識別子送信手段４２が識別子を送信するタイミングとは、例えば、定期的なタイミングや制御装置２０から識別子のリクエストを受信したタイミングである。
【００５６】
図１に示す例では、識別子送信手段４２も、識別子送信手段３２と同様に、識別子の送信に一般的な通信回線ではなく、電力線６０を使用している。電力線６０を使用する場合、識別子の通信のために新たに通信回線を設ける必要が無いため、容易に識別子の送信を実現することができる。
【００５７】
図１では、現場盤４０ａは、ポンプ５１と弁５２と接続され、２つの機器５１，５２を操作する例を示しているが、現場盤４０ａが接続される機器は２つに限られず、所定範囲に存在する複数の機器を制御するものであってもよいし、１つの機器のみを制御するものでもよい。
【００５８】
なお、リレー盤４０ｂ，４０ｃは、それぞれ異なる機器の制御に使用される装置であって、リレー盤４０ａとは異なる機器と接続されているが、リレー盤４０ａと同様に機器を制御する制御信号を出力する制御手段４１と、自装置の識別子を送信する識別子送信手段４２を備える構成であるため、図示を用いた説明は省略する。
【００５９】
これらのリレー盤４０ａ〜４０ｃは、電気信号を使用してプラントの機器を制御する装置であるため、電気室等の部屋に配置されることが一般的である。
【００６０】
上述した本発明に係る監視装置では、プラントの制御に利用される機器等の接続状況を把握することで、故障や交換が発生した場合、直ちに接続状況を把握して対応することができる。また、本発明に係る監視装置では、異常が発生した場合、過去の操作の履歴を利用して、問題解決のための操作や操作に必要な情報を提示するため、監視員は容易に問題解決することができる。さらに、本発明に係る監視装置によれば、機器からの識別子の送信には電力線が利用されるため、識別子の送信のために新たに信号線を開設する必要がない。
【符号の説明】
【００６１】
１０…監視装置
１００…ＣＰＵ
１００ａ…操作信号送信手段
１００ｂ…記憶処理手段
１００ｃ…状況受信手段
１００ｄ…状況判定手段
１００ｅ…表示処理手段
１００ｆ…識別子受信手段
１００ｇ…時間判定手段
１００ｈ…通知手段
１０２…入力装置
１０３…表示装置
１０４…記憶装置
１０４ａ…登録データ
１０４ｂ…配置図データ
１０４ｃ…操作データ
１０４ｄ…識別子データ
１０５…リレー盤
１０６…現場盤
２０…制御装置
２００…ＣＰＵ
２００ａ…操作受信手段
２００ｂ…送信手段
２００ｃ…収集手段
２０２…記憶装置
２０２ａ…識別子データ
３０ａ〜３０ｃ…現場盤
３１…操作手段
３２…識別子送信手段
４０ａ〜４０ｃ…リレー盤
４１…制御手段
４２…識別子送信手段
５０…ライン
５１…ポンプ
５２…弁
５３…センサ
６０…電力線
【図１】
2011059809.tif 000003
【図２】
2011059809.tif 000004
【図３】
2011059809.tif 000005
【図４】
2011059809.tif 000006
【図５】
2011059809.tif 000007
【図６】
2011059809.tif 000008
【図７】
2011059809.tif 000009
【図８】
2011059809.tif 000010
【図９】
2011059809.tif 000011